(57)【特許請求の範囲】
【請求項１】
動物（１）の体内へ液体を注入する針状注入具（２）と、この針状注入具（２）との係合部（６）を有し且つ針状注入具（２）と動物（１）の体表面上の液体注入部位（１'）との間の動物の体表面組織部分が把持されるような力を上記針状注入具（２）に加える付勢手段を備えた把持部材（ホルダー）（１０、２０、３０、４０、５０）とを有し、上記付勢手段が２つの外バネ部（１１、１２）と、これら２つの外バネ部の各先端近傍を回動自在に連結する連結軸（１７）と、２つの外バネ部の各末端部を互いに連結する連結部（１３）と、この連結部の略中間部分から上記連結軸方向に向かって突き出たと内バネ部（１４）とから成り、上記係合部（６）が内バネ部の先端部近傍に形成された針状注入具との係合孔（１６）である、動物の体内へ液体を注入する針状注入具を動物の体表面組織上に固定するための固定具。
【発明の詳細な説明】
【技術分野】
【０００１】
本発明は、針状注入具を用いて動物の体内へ液体を注入する針状注入具を体表面上に確実に固定・留置する方法と、この方法に使用する保持具（ホルダー、クランプ）とに関するものである。
本発明は特に、注射針、例えば静脈針を動物の静脈血管内に確実に固定・留置する方法と、この方法に使用する保持具とに関するものである。
【背景技術】
【０００２】
動物に注射針、カテーテル等の管を用いて液体、例えば液体医薬、栄養補給液体、血液等を供給、導入、注入することは補液、点滴、輸血等の分野で広く行われている。こうした操作には一定の時間が必要なため液体注入時には一般に動物を保定し、注射針、カテーテル等の管を動物の体表面上に固定する。
一方、近年、牛の飼育方法は変化しており、フリーストール、フリーバーン等では補液等のために牛を確実に保定することが困難になってきている。
【０００３】
従来の留置針は静脈血管に注射針を刺入し、針を抜き、針外側のプラスチック管を血管内に留置するものである。この留置方式は留置するプラスチック管表面と皮膚および皮下組織との間の摩擦力により固定するものであり、動きまわる動物の皮膚では固定力が不足することがある。
そのため、上記液体の供給、導入、注入時に注射針やカテーテルのような注液手段を体表面に接着テープ（下記特許文献１参照）やクリップ等で固定している。
【特許文献１】米国特許第2002/0177838−Ａ１号明細書
【０００４】
しかし、接着テープの固定は取れ易く、体表面が長い毛で覆われた動物では接着テープによる固定が困難であり、また、接着できても簡単に取れてしまうという欠点がある。
【０００５】
また、補液管部分を皮膚にクリップで固定する方法は注射針を固定するのではなく、また、動物は常に体動しており、さらに吸血昆虫を追い払うために皮膚を部分限局的に振動させることができるため、この方法では注射針が静脈血管から外れてしまうことがある。
下記文献にはカテーテルを平らなクランプで体表面上に固定する方法が提案されている。
【特許文献２】米国特許第２００５／５４９８５−Ａ１号明細書
【０００６】
しかし、この特許でもクランプ自体は感圧接着剤が塗布された取り付けパッドによって体表面上に固定している。
【発明の開示】
【発明が解決しようとする課題】
【０００７】
本発明の目的は、極めて簡単、安全な方法で針状注入具を動物の体表面上に確実に留置・保持する方法と、この方法に使用する保持具とを提供することにある。
【課題を解決するための手段】
【０００８】
本発明の第１の対象は、動物の体内へ液体を注入する針状注入具を動物の体表面上に固定・留置する方法であって、動物の体表面上の液体注入部位に針状注入具を刺入した後、把持部材を用いて上記液体注入部位と針状注入具との間の動物の体表面組織部分が把持されるような力を針状注入具に加えて針状注入具を動物の体表面組織上に固定・留置することを特徴とする方法にある。
上記の力はバネの力で加えることができる。
【０００９】
本発明の第２の対象は、動物の体内へ液体を注入する針状注入具と、この針状注入具との係合部を有し且つ針状注入具と動物の体表面上の液体注入部位との間の動物の体表面組織部分が把持されるような力を上記針状注入具に加える付勢手段を備えた把持部材（ホルダー）とを有することを特徴とする、動物の体内へ液体を注入する針状注入具を動物の体表面組織上に固定するための固定具にある。
上記付勢手段はバネにすることができる。
【発明を実施するための最良の形態】
【００１０】
上記「針状注入具」とは動物の体内へ液体を注入するのに使用される注射針、留置針、カテーテル等の中空な任意の針状部材を意味する。
上記「液体」とは予防、治療、研究、実験等の目的で動物の体内へ注入される任意の液体を意味する。本発明は水分、栄養剤、液体医薬、血液、その他の補液の補給、輸血の用途で有用である。
【００１１】
本発明は全ての動物に適用できるが、特に哺乳類、特に家畜、スポーツ動物、実験動物、ペット、例えばウシ、ヤギ、ヒツジ、ウマ、ブタ、ネコ、イヌ等で有用である。本発明は主として動物を対象とするものであるが、本発明の方法および装置をヒトに適用しても本発明の範囲を逸脱するものではない。
上記の「注入すべき部位」は動物の体表面上の液体を注入すべき獣医学上の場所で、この場所は獣医師が獣医学の知識に基づいて適宜選択することができる。
【００１２】
「把持部材」とは液体注入部位と針状注入具との間の動物の体表面組織部分が把持されるような力を針状注入具に加える「ホルダー」を意味する。
「液体注入部位と針状注入具との間の動物の体表面組織部分が把持されるような力」は、動物の体表面上で針状注入具の取付け位置が実質的に移動しないようにするための押圧力を針状注入具と把持部材との間に加えるもので、この力は付勢手段によって与えることができる。この付勢手段はバネやゴム等の弾性材料からなる弾性体にすることができ、一般にはバネにすることができる。バネとしては板バネ、コイルバネ、捻りバネ等を含む任意のバネが使用でき、バネの材料は金属、プラスチック、ゴム、複合材料等にすることができる。付勢手段としてゴム等の弾性材料を用いる場合にはその弾性材料を支持する支持体またはフレームを剛体にすることもできる。
【００１３】
本発明で供給可能な補液としは例えば下記のものを挙げることができる。
１）カルシウム剤、高張ブドウ糖、等張リンゲル糖（穏やかな投与が好ましい）
２）リンゲル液、５％ブドウ糖、等張リンゲル糖（細胞内、細胞外液の水分、電解質の補給）
３）ハルゼン液、７％重曹液（酸、塩基平衡の改善）
４）強肝剤、栄養剤
５）高張食塩水（循環血漿量の維持）
６）抗生剤（リンゲル液、５％ブドウ糖、等張リンゲル糖に溶解して）
【００１４】
また、本発明が適用可能な症例としては例えば下記を挙げることができる。
１）補液の静脈注射
２）脱水牛の長時間の多量補液（通常の補液は３リットル程度まで、脱水牛は５〜10リットル補給）
３）カルシウム剤、高張ブドウ糖、心衰弱牛に対する穏やかな補液（カテーテルのストッパーを絞ることで点滴輸液も可能）
【００１５】
一般に、動物の体内へ注入する液体を入れた容器はハンガーや柱のような固定構造物に固定、支持され、この容器から注液管を延ばし、この注液管の先端に注射針、留置針、カテーテル等の針状部材を取付ける。容器から針状部材へ供給される液体の流量は必要に応じて用いられる流量調節装置で調節できる。
【００１６】
一定時間をかけて液体を注入する必要がある場合には一般に動物を保定するが、本発明を用いることで通常保定を解除しても注射針を血管内に確実に固定することができる。
また、放牧家畜、動物園の動物、実験動物等では適当な手段、例えばバンド等を用いて動物の体の一部、例えば背に、補液剤を収容した容器を装着、固定し且つ本発明方法の固定具を用いることで、保定を全くしなくても注射針を血管内に確実に固定することができ、動物は自由に移動することができる。
【００１７】
本発明のこの応用として、長期間にわたって実験動物から定期的に液体、例えば血液をサンプリングする場合や、長期間にわたって実験動物に薬剤を投与する場合にも、本発明固定具を使用できる。この場合には、サンプリング装置をバンド等を用いて動物の体の一部に装着するのが好ましい。
【００１８】
本発明の好ましい第１実施例では、上記付勢手段が２つの外バネ部と、これら２つの外バネ部の各先端近傍を回動自在に連結する連結軸と、２つの外バネ部の各末端部を互いに連結する連結部と、この連結部の略中間部分から上記連結軸方向に向かって突き出たと内バネ部とから成り、上記係合部が内バネ部の先端部近傍に形成された針状注入具との係合孔である。
【００１９】
この第１実施例の場合では、２つの外バネ部の捻れ弾性と内バネ部の弾性とによって本発明で定義の力（すなわち、動物の体表面組織部分を把持するように針状注入具に加えられる力）が与えられる。上記の捻れ弾性は互いに平行な２つの外バネ部の各先端近傍を回動自在に連結軸で連結することで得られ、２つの外バネ部の先端が内側（２つの外バネ部の各先端近傍を連結しない時の位置に対して注射針側へ反った側）へ反転した時に、内バネ部の針状注入具との係合部と２つの外バネ部の先端連結軸部分との間に所定の押圧力が生じる。
【００２０】
この力の大きさは外バネ部と内バネ部の寸法および材質を選択することで当業者が適宜行なうことができる。上記ホルダーは容易に滅菌処理でき且つ安いコストで大量生産可能なバネ特性を有するステンレス板で作るのが好ましい。
【００２１】
本発明の第２の実施例では本発明ホルダーが弾性または反発性を有するプラスチック材料で作られる。コストダウンや、使い捨て型のホルダーにする場合にはこの形式が有利である。ポリ乳酸共重合体のような分解性プラスチック材料を用いることで環境汚染、負荷を減らすのが望ましい。
【００２２】
内バネ部の先端部分に形成される注射針を通す孔は閉じた孔でもよいが、一端が開放した孔にすることもできる。そうすることで獣医師は通常の方法でウシ（１）の体表面に注射針を挿入し、その後に開放孔の開口を介して注射針を孔中に落とすことでホルダーをウシの体表面に固定できる。
【００２３】
使い捨て型のホルダーはプラスチック材料から射出成形等の成形技術で製作できる。本発明ホルダーは使用前にフラットな状態で保存し、使用時に３次元形状に組み立てる形式にすることもできる。
【００２４】
本発明ホルダーの第３実施例では、ホルダーが透明カバーと、感染・汚染防止用パットとを有している。透明カバーを付けることによって注射部位にハエやアブが接近するのを阻止でき、また、感染・汚染防止用パットを透明カバーに保持させることによって感染・汚染を積極的に防止することができる。
【００２５】
本発明の第４実施例では付勢手段としてゴム等の弾性材料を用いる。この第４実施例では動物の体表面上の液体注入部位全体を剛体プラスチックカバーで覆う。気泡貯留部（タコ管）と注射針取付け部とから成るアッセンブリー全体を注射具保持部材の内側に上方から収容できるようにする。この注射具保持部材の片側側面の延長部は弾性ベルトにし、この弾性ベルトの先端をプラスチックカバーに形成したスリットを通してプラスチックカバーの外側へ引き出す。弾性ベルトとプラスチックカバーとの相対位置はラチッット機構等を用いることで調節できる。弾性ベルトはエラストマー、ゴム、積層材料、複合材料等の任意の材料で作ることができる。
【００２６】
以下、本発明方法および装置によって針状注入具を動物等の体表面上に固定・留置するいくつかの実施例を示す。
【実施例】
【００２７】
［図１］は本発明の第１の実施例の概念図である。この実施例では本発明のホルダー（１０）を用いて注射針（２）が動物（図示した実施例ではウシ）（１）の体表面に固定・留置されている。注射針（２）には気泡貯留部（タコ管）（４）および管（チューブ）（３）を介して補液が行われる。管（３）の末端（図示せず）は補液等の液体を収容した容器に連結されており、この容器は一般に柱のような固定構造物に固定、支持される。
［図２］は［図１］に示す本発明固定具部分の拡大図であゃ、［図３］は［図２］に示す本発明固定具を反対側から見た時の概念的斜視図である（なお、この図３は本発明固定具をウシ（１）から外した状態を示している）。
［図４］は［図２］のＸ−Ｘ線による本発明固定具の概念的断面図である。
【００２８】
［図１］〜［図４］に示す本発明の第１の実施例のホルダー（１０）ではウシ（１）の体表面組織および／または皮膚の部分（１‘）が注射針（２）と外バネ部（１１、１２）の先端部との間で確実に保持され、注射針（２）がウシ（１）から不用意に抜けることはない。すなわち、ウシ（１）の体表面組織および／または皮膚の一部と、注射針（２）と、外バネ部（１１、１２）の先端部との間の摩擦係合によって注射針（２）の保持が確実に行われる。
【００２９】
［図１］〜［図４］に示す本発明の第１の実施例のホルダー（１０）の詳細は[図５］に示してあり、このホルダー（１０）は［図７］に示す金属板、例えばステンレス板を切抜いて作ることができる。
【００３０】
［図５］［図７］に概念的に示した本発明の第１実施例のホルダー（１０）は２つの外バネ部（１１、１２）と、これら２つの外バネ部の一端を互いに連結する連結部（１３）と、この連結部（１３）の略中間部から外バネ部と同じ方向に延びた内バネ部（１４）とを有している。内バネ部（１４）の先端近傍には注射針（２）を通す孔（１６）が形成されている。連結部（１３）には注射針取付け部（５）をスナップ保持（［図４］参照）するための一対のフィンガー（１８）を有する注射針ホルダー（１９）がスポット溶接等の任意の手段で固着されている。
【００３１】
［図７］の２つの外バネ部（１１、１２）の上記連結部（１３）と反対側の端部すなわち先端部近傍には孔（１１１、１２１）が形成されている。両方の孔（１１１、１２１）にリベットのような枢着具（１７）を通し、２つの外バネ部（１１、１２）の上記先端部近傍を互いに連結することで２つの外バネ部（１１、１２）は［図５］に示す形状となる。［図５］は２つの外バネ部（１１、１２）が、［図７］に示す平らな状態に比べて、矢印Ａで示すような外側へ反転した状態を示しており、［図６］は２つの外バネ部（１１、１２）が矢印Ａとは反対向きの矢印Ｂで示すような内側へ反転した状態を示している。
【００３２】
本発明の第１の実施例のホルダー（１０）を使用する場合には、獣医師は注射針（２）を孔（１６）に通した状態で、獣医学的に通常選択される部位に通常行われる静脈注射方法によって注射針（２）をウシ（１）の体表面から挿入する。この場合、獣医師が静脈注射操作を自由に行えるようにするために、２つの外バネ部（１１、１２）を［図５］に示す矢印Ａで示す外側へ反転させておくのが好ましい。そうすることで獣医師は通常の静脈注射操作を全く妨害なしに行うことができる。なお、孔（１６）の直径と注射針（２）の直径との差が大きい場合には２つの外バネ部（１１、１２）を［図５］に示す外側へ反転させなくても静脈注射操作が可能になるが、獣医師の操作の自由度が少なくなるので、上記のようにするのが好ましい。
【００３３】
注射針（２）が静脈中に正しく挿入されたことを確認した後、獣医師は２つの外バネ部（１１、１２）を矢印Ｂで示す状態へ反転させて［図４］の状態にする。［図４］の状態ではウシ（１）の体表面組織および／または皮膚の部分（１‘）が注射針（２）と外バネ部（１１、１２）の先端部との間で確実に保持され、注射針（２）がウシ（１）から不用意に抜けることはない。すなわち、ウシ（１）の体表面組織および／または皮膚の一部と、注射針（２）と、外バネ部（１１、１２）の先端部との間の摩擦係合によって注射針（２）の保持が確実に行われる。
【００３４】
発明者はステンレス鋼ＳＵＳ３０１の板を用いて下記寸法の第１実施例のホルダー（１０）を製作し、本発明の効果を確認している：
外バネ部（１１、１２）＝６５×４×３ｍｍ
内バネ部（１４）＝２６×４×３ｍｍ
連結部（１３）＝２２×６×３ｍｍ
【００３５】
本発明の固定具を用いない場合には、動物の体動によって気泡貯留部（タコ管）（［図４］参照）の向きが下側へ下がって本来の役目である気泡貯留の役目をしなかったり、貯留した気泡が一気に体内へ流入する危険があったが、本発明の固定具を用いると動物に対する気泡貯留部（タコ管）の方向を所望の方向に固定でき、上記従来の欠点を無くすことができる。
【００３６】
［図８］と［図９］は本発明をより一般化した原理図である。
［図８］は本発明の基本原理を説明する図で、この図に示した本発明のホルダー（２０）は外バネ部（２１）と、この外バネ部と同じ方向に延びた内バネ部（２４）と、これら２つのバネ部の一端に互いに連結する連結部（２３）と、内バネ部（２４）の先端近傍に形成された注射針（２）を通す孔（２６）とから成る。各バネ部には適当な湾曲、曲げ加工、リブ付け等を行って所定の剛性を付与することができる。
【００３７】
このホルダー（２０）も［図２］〜［図７］に示した本発明の第１実施例と同様な方法で注射針（２）をウシ（１）の体表面に固定・留置するのに使用できるということは理解できよう。すなわち、ウシ（１）の体表面組織および／または皮膚の一部（１‘）と、注射針（２）と、外バネ部（２１）の先端部との間の摩擦係合によって注射針（２）は確実に保持される。
【００３８】
［図９］は［図８］の変形例で、このホルダー（３０）では［図８］の外バネ部（２１）の先端を二又（２１１、２１２）にして外バネ部先端の保持面積を広くしたものである。
【００３９】
［図１０］は本発明の第２の実施例の概念図で、弾性または反発性を有するプラスチック材料で本発明のホルダー（４０）を作る場合の一つの実施例を示している。このホルダー（４０）は使い捨て型にすることもできる。［図１０］に示したホルダー（４０）の構造は［図２］〜［図７］に示した本発明の第１実施例の構造に類似している。このホルダー（４０）も２つの外バネ部（４１、４２）と、これら２つの外バネ部の一端を互いに連結する連結部（４３）と、この連結部（４３）から外バネ部と同じ方向に延びた内バネ部（４４）と、内バネ部（４４）の先端近傍に形成された注射針（２）を通す孔（４６）とを有している。
【００４０】
この第２の実施例のホルダー（４０）では２つの外バネ部（４１、４２）が連結部（４７）によって互いに連結されている。また、内バネ部（４４）の先端部分（４５）に形成された注射針（２）を通す孔（４６）は［図２］〜［図７］に示した本発明の第１実施例の場合と同様に閉じた孔にすることができるが、［図１０］に図示した実施例では孔（４６）の一部を先端部分（４５）の側面に形成した溝（４６１）を介して外部に開放してある。そうすることで獣医師は注射操作を自由に行なうことができる。すなわち、獣医師は通常の方法でウシ（１）の体表面に注射針（２）を挿入する。その後に上記溝（４６１）を介して注射針（２）を孔（４６）に落とすことでホルダー（４０）をウシ（１）の体表面に固定できる。
【００４１】
［図１１］と［図１２］は［図１０］に示した第２実施例の変形例で、弾性または反発性を有するプラスチック材料から射出成形等の一体成形技術で製作可能な安価な使い捨て型のホルダー（４００）を示している。このホルダー（４００）も［図２］〜［図７］に示した本発明の第１実施例と類似の構造を有している。このホルダー（４００）は２つの外バネ部（４１１、４１２）と、これら２つの外バネ部の一端を互いに連結する連結部（４３１）と、この連結部（４３１）から外バネ部と同じ方向に延びた内バネ部（４４１）と、内バネ部（４４１）の先端近傍に形成された注射針（２）を通す孔（４６１）とを有している。このホルダー（４００）では２つの外バネ部（４１１、４１２）の先端が連結部（４７１）によって互いに連結され、内バネ部（４４）の先端部分に形成された注射針（２）を通す孔（４６１）は側面に形成した溝を介して外部に開放してある。
【００４２】
このホルダー（４００）はさらに、上記連結部（４７１）から連結部（４３１）に向かって延びる第３のバネ部（４７２、４７３）を内バネ部（４４１）の両側に有している（［図１２参照］）。
このホルダー（４００）は使用前には［図１２］に示すフラットな状態で保存され、使用時に第３のバネ部（４７２、４７３）を下に引き出し、内バネ部（４４１）の中間部分の両側に形成された係合溝（４４２）に、第３のバネ部（４７２、４７３）の先端部分に成形した係合部（４７４）を係合させることで内バネ部（４４１）の弾性を強化している。
【００４３】
［図１３］〜［図１５］は本発明のホルダー（５００）の第３実施例を示している。このホルダー（５００）はプラスチックで作られた透明カバー（５０１）と、それに保持された感染・汚染防止用パット（５０２）とを有している。なおカバー（５０１）はオプション部材で、無くてもよい。
このホルダー（５００）では外バネ部（５１、５２）が一本の弾性ワイヤを成形したもので作られている（［図１４］参照）。すなわち、一本の弾性ワイヤの中間部分に２つのバネ部を形成し、それをブラスチック製フレーム（５３１）に形成した支持突起（５３１）に掛けて２つのバネ部とフレーム（５３１）とを一体化する。２本の外バネ部（５１、５２）は適当な係合部（図示せず）を介して透明カバー（５０１）と一体化する。
【００４４】
［図１３］〜［図１５］に示したホルダー（５００）では内バネ部（５４）がフレーム（５３１）に形成された貫通通路（５３５）に挿通され、フレーム（５３１）に対する内バネ部（５４）の軸線方向位置はクサビ状スライド部材（５３４）によって調節できる。すなわち、内バネ部（５４）の末端に形成されたツマミ（５４１）を操作して内バネ部（５４）の軸線方向位置を変えることで内バネ部（５４）の弾性力を調節することができる。
このホルダー（５００）では透明カバー（５０１）を付けることによって注射部位にハエやアブが接近するのを阻止でき、また、感染・汚染防止用パット（５０２）を透明カバー（５０１）に保持させることによって感染・汚染を積極的に防止することができる。
【００４５】
［図１６］〜［図１８］は付勢手段としてゴム等の弾性材料を用いた場合の本発明の第４実施例を示している。この第４実施例では動物（１）の体表面上の液体注入部位（１’）全体が剛体のプラスチックカバー（６１）で覆われる。プラスチックカバー（６１）を透明にすることで内部を観察することが可能になる。また、プラスチックカバー（６１）の環状開口エッジ部には動物（１）の体表面上に確実に固定できるようにするための突起（６１１）が形成されている。気泡貯留部（タコ管）（４）と注射針取付け部（５）とから成るアッセンブリー全体は注射具保持部材（６２）の内側に上方から収容できるようになっている。この注射具保持部材（６２）の片側側面の延長部は弾性ベルト（６３）になっている。この弾性ベルト（６３）の少なくとも片面上には一連の突起溝（６４）が形成されている。弾性ベルト（６３）の先端はプラスチックカバー（６１）に形成したスリット（７０）を通ってプラスチックカバー（６１）の外側へ引き出されている。スリット（７０）には一対のクサビ部材（６５、６６）が挿入され、上記突起溝（６４）と対向するクサビ部材（６５）の突起溝（６４）側表面には突起溝（６４）と係合する突起（６７）が形成されている。突起溝（６４）と突起（６７）とはラチェット機構を構成し、弾性ベルト（６３）がスリット（７０）中を上方向のみに移動できるようになっている。ラチェット機構（６４、６７）を開放する場合（注射具を動物の体表面から外す場合）にはクサビ部材（６６）を引き出してクサビ部材（６５）を自由にし、ラチェット機構（６４、６７）を開放する。
【００４６】
注射具保持部材（６２）は剛体のプラスチックで作ることができるが、弾性ベルト（６３）と同じ弾性体で一体に成形することもできる。いずれにせよ、注射具保持部材（６２）は気泡貯留部（タコ管）（４）と注射針取付け部（５）とから成るアッセンブリー全体を安定、確実に保持できるような内側輪郭形状を有しているのが好ましい。
弾性ベルトはエラストマー、ゴム、積層材料、複合材料等の任意の材料で作ることができる。この弾性ベルト（６３）、注射具保持部材（６２）およびプラスチックカバー（６１）は消毒、殺菌処理に耐えることができる材料にするのが好ましい。この第４実施例の保持具を安価な材料で作って使い捨て型にすることもできる。
【００４７】
本発明はフリーストール、フリーバーンでの使用に特に有用である。また、放牧地における放牧牛の野外治療にも応用可能である。
【００４８】
以上、本発明をいくつかの実施例で説明したが、本発明が上記実施例に限定されるものではない。例えば、第３実施例の感染・汚染防止用パットは他の実施例でも使用することができる。本発明は特許請求の範囲に定義でのみ限定されるものであり、上記各実施例の変形、置換、組み合わせは本発明の範囲に含まれる。
【図面の簡単な説明】
【００４９】
【図１】本発明のホルダーの一例をウシの補液に使用した場合の概念図。
【図２】図１に示す本発明固定具部分の拡大図。
【図３】図２に示す本発明固定具を反対側から見た時の概念的斜視図で、この図はホルダーに注射装置を取り付けた状態を示し、本発明固定具をウシから外した状態を示している。
【図４】図２のＸ−Ｘ線による本発明固定具の概念的断面図。
【図５】図２〜４に示すのホルダーの概念的斜視図。
【図６】図５のホルダーの外バネ部を反転させた状態を示す概念的斜視図。
【図７】は図１〜図６に示す本発明の第１実施例のホルダーを製作する材料となるバネ弾性を有する金属板の平面図。
【図８】本発明の原理を示す概念図。
【図９】図８の変形例を示す概念図。
【図１０】本発明の第２実施例の概念図。
【図１１】本発明の第２実施例を具体化したホルダーの概念的斜視図。
【図１２】図１０のホルダーの使用前の保存状態での概念図。
【図１３】本発明の第３実施例のホルダーの概念的斜視図。
【図１４】図１３のホルダーのフレーム部分を拡大して示した概念的斜視図。
【図１５】図１３のフレーム部分の概念的中央断面図。
【図１６】本発明の第４実施例のホルダーの概念的断面図。
【図１７】図１６のＹ−Ｙ線による概念的断面図で、ホルダーのプラスチックカバのスリットを弾性ベルトが貫通する状態を示す図。
【図１８】図１６のホルダーの概念的平面図。
【符号の説明】
【００５０】
１  動物
２  注射針
３  管（チューブ）
４  気泡貯留部（タコ管）
５  注射針取付け部
１０、２０、３０、４０、５０、６０  ホルダー
１１、１２  外バネ部
１３  連結部
１４  内バネ部
１６  孔
１８  フィンガー部
１９  注射針ホルダー部
【要約】
【課題】動物の体内へ液体を注入する針状注入具２を動物１の体表面上に固定・留置する方法および装置。
【解決方法】動物１の体表面上の液体注入部位１’に針状注入具２を刺入した後、把持部材10を用いて上記液体注入部位１’と針状注入具２との間の動物の体表面組織部分が把持されるような力を針状注入具２に加えて針状注入具２を動物１の体表面組織上に固定・留置する。上記力はバネまたは弾性体の力にすることができる。本発明固定具は動物１の体内へ液体を注入する針状注入具２と、この針状注入具２との係合部６を有し且つ針状注入具２と動物１の体表面上の液体注入部位１’との間の動物の体表面組織部分が把持されるような力を上記針状注入具２に加える付勢手段を備えた把持部材（ホルダー）10とを有する。
【選択図】  図１【図１】
0004178421.tif 000002
【図２】
0004178421.tif 000003
【図３】
0004178421.tif 000004
【図４】
0004178421.tif 000005
【図５】
0004178421.tif 000006
【図６】
0004178421.tif 000007
【図７】
0004178421.tif 000008
【図８】
0004178421.tif 000009
【図９】
0004178421.tif 000010
【図１０】
0004178421.tif 000011
【図１１】
0004178421.tif 000012
【図１２】
0004178421.tif 000013
【図１３】
0004178421.tif 000014
【図１４】
0004178421.tif 000015
【図１５】
0004178421.tif 000016
【図１６】
0004178421.tif 000017
【図１７】
0004178421.tif 000018
【図１８】
0004178421.tif 000019